(57)【要約】【課題】  砲弾の炸薬を保持する装置を備えた砲弾を提供する。【解決手段】  本発明は、長軸ＸＸ’に沿って、尖頭形の信管（２０）、弾体（１０）、およびスカート部（２４）を含む砲弾に関し、長軸ＸＸ’と同軸の回転軸ＡＡ’を有する円筒形の弾体（１０）は、前端と後端の間に、炸薬を収納する装填区画を仕切る円筒壁を有し、弾体（１０）は、その前端が信管（２０）により、および後端が当該弾体に取り付けられたスカート部により封止されている。  弾体（１０）は、フィンＥｉの両側の少なくとも２個の部分に炸薬を分けるべく、装填区画内に、両端の間に、各々が回転軸ＡＡ’方向にスカート部に取り付けられた少なくとも一個の端（ｂ１）を含むｎ個のフィンＥ１、Ｅ２、．．Ｅｉ、．．．Ｅｎを有する中核部（３８）を含んでいて、ｉはフィンのランク、ｎは１以上である。  用途：大砲または迫撃砲弾【選択図】      図４
2012247178.tif 000002
【特許請求の範囲】
【請求項１】
長軸ＸＸ’に沿って、尖頭状の信管（２０）、弾体（１０）、およびスカート部（２４、１６０、２０８、３０８）を含む砲弾であって、前記長軸ＸＸ’と同軸の回転軸ＡＡ’を有する円筒形の前記弾体（１０）が、前端と後端の間に、炸薬（３９）を収納する装填区画（３６）を仕切る円筒壁（３１、２０２、３０２）を有し、前記弾体（１０）が、前記信管（２０）により前端が、および前記弾体に取り付けられた前記スカート部により後端が封止されていて、前記弾体が、両端間の前記装填区画内に、各々が前記スカート部に取り付けられた前記回転軸ＡＡ’方向に少なくとも１個のエッジ（ｂ１）を含むｎ個のフィンＥ１、Ｅ２、．．Ｅｉ、．．．Ｅｎを有する中核部（３８、１５０、１６４、２２０、３２０、３４０）を含み、ｉはフィンのランク、ｎは１以上であり、前記炸薬（３９）を前記フィンＥｉの両側で少なくとも２個の部分に分離することを特徴とする砲弾。
【請求項２】
前記砲弾が、前記信管（２０）と前記弾体との間に、前記炸薬（３９）への点火用のブースター（２２）を含んでいて、円筒形の前記ブースター（２２）が、前記弾体（１０）と前記信管（２０）および前記弾体（１０）内のブースター本体（３０）を結合する外部ブースター部（２８）を有することを特徴とする、請求項１に記載の砲弾。
【請求項３】
前記弾体の前記円筒壁（３１）が、前記中核部（３８）および前記炸薬（３９）を収納する前記装填区画（３６）を形成する、外径Ｄｐｅの外面（３２）および内径Ｄｐｉの内面（３３）を含んでいることを特徴とする、請求項１または２のいずれか１項に記載の砲弾。
【請求項４】
回転軸ＣＣ’を有する円筒形の前記スカート部（２４）が、前記弾体（１０）の側面において、前記スカート部の軸に垂直な平面Ｐ２内で円形のスカート壁（６８）を以て終端し、前記スカート部（２４）は、前記中核部（３８）が有するフィンと同数の溝Ｒ１、Ｒ２、．．、Ｒｉ、．．Ｒｎを有しており、前記溝は前記スカート壁（６８）に向かって開いていて、前記砲弾の長軸ＸＸ’に垂直な平面Ｐ３内の底部（７０）を以て前記スカート部において終端し、前記中核部の前記ｎ個のフィンＥ１、Ｅ２、．．Ｅｉ、．．．Ｅｎが、前記弾体の後端側に、フィンのエッジ（１０２）を以て前記中核部（３８）の軸ＡＡ’に垂直な平面Ｐ６内で終端する後方フィン終端（１００）を有し、ランクｉのフィンＥｉの後方フィン終端（１００）が前記スカート部（２４）の同一ランクｉの前記各溝Ｒｉに挿入されていて、前記フィンのエッジ（１０２）が、前記中核部（３８）を前記スカート部に、従って前記弾体（１０）に回転および並進可能に取り付けるように、前記溝の前記底部（７０）に接触しており、前記フィンの前記スカート部（２４）との結合がほぞ／ほぞ穴式であって、前記ほぞが前記フィン（１００）の後部であり、前記ほぞ穴が前記スカート部（２４）内の前記溝Ｒ１、Ｒ２、．．Ｒｉ、Ｒｎであることを特徴とする、請求項１〜３のいずれか１項に記載の砲弾。
【請求項５】
「ほぞ／ほぞ穴」式の結合の場合は前記後方フィン終端（１００）を前記ｎ個の溝Ｒ１、Ｒ２、．．Ｒｉ、．．Ｒｎに接着するか、あるいは前記フィンのエッジにねじ止めまたは溶接することにより、前記フィンと前記スカート部（２４）とに堅牢な結合が生じ、後者の解決策はほぞ／ほぞ穴式の結合から除外することができることを特徴とする、請求項４に記載の砲弾。
【請求項６】
前記ｎ個のフィンＥ１、Ｅ２、．．Ｅｉ、．．．、Ｅｎが、前記弾体（１０）の前端側に、前記弾体（１０）の前記前端の前記内面（３３）の円筒表面部分（４６）の直径Ｄ１に等しい直径の円筒面に内接して中核部を前記弾体とセンタリング式に結合させる前方フィン部（８４）を含んでいることを特徴とする、請求項４または５に記載の砲弾。
【請求項７】
スカート部（１６０）−中核部（１６４）アセンブリが一体的に製造されていて、回転軸ＣＣ’を有する前記スカート部（１６０）が、前記弾体（１０）の側面に、回転軸ＣＣ’方向に少なくとも自身のエッジ（ｂ１）により前記スカート部（１６０）に取り付けられたｎ個のフィンＥ１、Ｅ２、．．Ｅｉ、．．Ｅｎを有する前記中核部（１６４）を含んでいて、前記スカート部が前記中核部と共に前記弾体（１０）の後端にねじ止めされて前記弾体を封止しており、前記弾体（１０）の前記中核部（１６４）を「オーバーハング」式に搭載すべく前記フィン前部（１８０）が前記弾体（１０）の前記壁（３１）とは接触しないことを特徴とする、請求項１〜３のいずれか１項に記載の砲弾。
【請求項８】
弾体（２００）−スカート部（２０８）−中核部（２２０）のアセンブリが一体的に製造されていて、前記弾体（２００）が、前記弾体（２００）の前端側に、前記砲弾の長軸ＸＸ’と同軸の回転軸ＡＡ’を有する円筒壁（２０２）と、前記ブースター（２２）用の前記円形開口（４０）を、および前記弾体の後端側に、スカート部（２０８）を形成する後方本体部（２０６）を含み、前記弾体が、前記軸ＡＡ’方向に、一方で前記弾体（２００）の前記回転軸ＡＡ’方向において自身のエッジ（ｂ１）により、他方で前記弾体および前記スカート部（２０８）の前記壁（２０２）のフィンの他のエッジ（ｂ２、ｂ３）により互いに取り付けられた前記ｎ個のフィンＥ１、Ｅ２、．．Ｅｉ、．．Ｅｎを含んでいて、前記フィンが、前記スカート部（２０８）および前記円筒壁（２０２）と共に、前記炸薬（３９）用のセル（１０６）を形成していることを特徴とする、請求項１〜３のいずれか１項に記載の砲弾。
【請求項９】
弾体（３００）−中核部（３２０）のアセンブリが一体的に製造されていて、前記弾体（３００）が、前記砲弾の前記軸ＸＸ’と同軸の回転軸ＡＡ’を有する円筒壁（３０２）および前記円筒壁（３０２）に取り付けられた中核部（３２０）を含み、前記円筒壁３０２が、前記弾体の前端側に、前記ブースター（２２）用の前記円形開口（４０）を、および前記弾体の後端側に、前記スカート部（３０８）により封止された後部開口（３０４）を含んでいて、前記中核部（３２０）の前記フィンＥ１、Ｅ２、，．．Ｅｉ、．．Ｅｎが、一方で前記弾体の前記軸ＡＡ’方向に自身のエッジ（ｂ１）により、および前記弾体の前記軸ＡＡ’に平行な他のエッジ（ｂ２）により、前記弾体の前記円筒壁（３０２）に取り付けられていて、前記フィンが、前記スカート部（３０８）および前記円筒壁（３０２）と共に、前記炸薬用のセル（１０６）を形成していることを特徴とする、請求項１〜３のいずれか１項に記載の砲弾。
【請求項１０】
前記装填区画が、区画化領域が後に続く共通装填領域（１２０）を含み、前記共通装填領域が前記ブースター（２２）、前記弾体壁（３１）、および前記中核部のフィンの前端部（８６）により形成された平面により仕切られていて、前記区画化領域が前記弾体壁（３１）および前記スカート部（６８）により仕切られ、前記フィンＥ１、Ｅ２、．．．Ｅｉ、Ｅｎが、前記弾体壁（３１）と共に、前記砲弾の前記炸薬（３９）用のセル（１０６）を形成していることを特徴とする、請求項１〜９のいずれか１項に記載の砲弾。
【請求項１１】
前記中核部（３８、１５０、１６４、２２０、３２０、３４０）を形成している前記ｎ個のフィンが好適には、前記炸薬を収納することを意図した同形のセル群（１０６）を形成すべく前記弾体の前記回転軸ＡＡ’の回りに一定間隔で配置されていることを特徴とする、請求項３〜９のいずれか１項に記載の砲弾。
【請求項１２】
前記中核部（３８、１５０、１６４、２２０、３２０、３４０）が、前記フィンの前記エッジ（ｂ１）の結合軸方向に、炸薬管式点火装置を導入すべく前記中核部の長さの少なくとも一部にわたる管路（３５０）を含んでいることを特徴とする、請求項１〜１１のいずれか１項に記載の砲弾。
【請求項１３】
前記ｎ個のフィンＥ１、Ｅ２、．．Ｅｉ、．．Ｅｎの前記エッジ（ｂ１）により形成された前記管路（３５０）の壁（３５４）が、前記管路の軸に垂直な開口群（３６０）を含んでいて、前記炸薬管式点火装置により、前記開口群を通して、前記軸ＣＣ’に沿って、前記砲弾の炸薬に横方向に点火可能とすることを特徴とする、請求項１２に記載の砲弾。
【発明の詳細な説明】
【技術分野】
【０００１】
本発明は、発射時に強い軸方向およびロール加速を受ける砲弾に関する。
【背景技術】
【０００２】
大砲や迫撃砲等、多くの火砲システムがベルトを含む砲弾を使用する。大砲には、砲弾に回転運動を伝達し、これにより軌道内での安定性を向上させることを意図して内部旋条痕が付与されている。
【０００３】
旋条付き砲弾は、推進火薬が点火されたとき、滑らかな砲弾のような軸方向の推力を受けるだけでなく、所定の捻じれ角に応じてベルトを介して砲弾を駆動する大砲の砲身の内壁に施された螺旋形の旋条により回転運動も行なう。これらのベルトは一般に、迫撃砲弾用の「旋条付き」、または大砲弾用の「強制」型のいずれかである。
【０００４】
そのような砲弾は、推進火薬により生じた発射環境に起因する負荷に耐えられるように寸法が定められている。この推進火薬は、砲弾に応じて、カートリッジケースに装薬されるかまたは炸薬保持用のテール溝に配置される。
【０００５】
砲弾は通常、砲弾の内壁により弾体に保持された装薬、例えば炸薬（燻蒸剤、爆薬、照明弾等）を含んでいる。この装薬は、その化学組成および周囲温度に応じて、糊状、液体、または粘性の如何を問わず非固体型である。
【０００６】
発射時、いわゆる「大砲発射」段階において、砲弾は推進火薬による軸方向の推力および大砲の旋条痕による回転を同時に受け、そのような弾体は顕著な軸方向およびロール加速を受ける。砲弾内部の炸薬は一般に、発射段階において、「装薬／弾体」の界面で生じている粘着力により回転し始める。
【発明の概要】
【発明が解決しようとする課題】
【０００７】
内部装薬は本質的に、発射時の変形に耐えるには十分に堅牢ではなく、縦方向の加速の影響下で容器（弾体）の後端に押し付けられ、角加速度の影響下で捻じれる（捻転）傾向がある。
【０００８】
これらの変形は、装薬の粘性または硬度に依存して程度が増減するが、容器（弾体）と装薬の粘着力を劣化させ、結果的に装薬材料の強度より大きい負荷が生じ、従って当該材料にひび割れが生じるため、所望の末端効果が低下して「大砲発射段階」から発射安全距離の端までの間における安全性に関する潜在的な問題が生じる。
【０００９】
液体状の装薬の場合、その状態に起因して容器（弾体）と結合していない点で問題が異なる。この状態において、且つ粘性に依存して、この種の装薬はより速いかまたは遅い回転運動を受けるため、装薬と容器（弾体）の間に多少の角速度差が生じる。
【００１０】
発射段階に続いて砲弾のいわゆる「弾道飛行段階」があり、角および軸加速の影響を受けない糊状の装薬は、押し付けられ且つ捻じられる間に蓄えられたポテンシャルエネルギーを解放することにより元の形状に戻る傾向がある。そのような装薬の内部移動は、砲弾の他の全ての要素の動力学と調和せず、結果的に砲弾の弾道飛行の安定性を阻害しがちである。
【００１１】
これらの不具合は、液状の装薬において一層重大である。液状の装薬は、容器すなわち弾体と密着せず、容器とは相対的な角速度の差があって、「飛行段階」の間に容器と調和する傾向があるため、装薬の回転速度が増して、搭載質量、装薬と弾体との摩擦係数（粘着力）、および容器の形状に応じて低下する砲弾の回転速度が落ちてしまう。
【００１２】
装薬の変形に起因する内部移動および砲弾の角速度の低下に起因するジャイロスコープの効果の低下により、「飛行段階」の間に砲弾が不安定になり、軌道上で遭遇する外乱に影響され易くなり、最終的に目標を外す恐れがある。
【課題を解決するための手段】
【００１３】
従来技術の砲弾の短所を克服すべく、本発明は、長軸ＸＸ’に沿って、尖頭状の信管、弾体、およびスカート部を含む砲弾を提案するものであり、長軸ＸＸ’と同軸の回転軸ＡＡ’を有する円筒形の弾体が、前端と後端の間に、炸薬を収納する装填区画を仕切る円筒壁を有し、弾体が、信管により前端が、および弾体に取り付けられたスカート部により後端が封止されていて、弾体が、両端間の装填区画内に、各々がスカート部に取り付けられた、回転軸ＡＡ’方向に少なくとも１個のエッジを含むｎ個のフィンＥ１、Ｅ２、．．Ｅｉ、．．．Ｅｎ（ｉはフィンのランク、ｎは１以上）を有する中核部を含み、炸薬をフィンＥｉの両側で少なくとも２個の部分に分離することを特徴とする。
【００１４】
一実施形態において、砲弾は、信管と弾体との間に、炸薬への点火用のブースターを含んでいて、円筒形のブースターが、弾体と信管および弾体内のブースター本体を結合する外部ブースター部を有している。
【００１５】
別の実施形態において、弾体の円筒壁は、中核部および炸薬を収納する装填区画を形成する、外径Ｄｐｅの外面および内径Ｄｐｉの内面を含んでいる。
【００１６】
別の実施形態において、回転軸ＣＣ’を有する円筒形のスカート部は、弾体の側面において、スカート部の軸に垂直な平面内の円形のスカート壁で終端し、スカート部は、中核部が有するフィンと同数の溝Ｒ１、Ｒ２、．．、Ｒｉ、．．Ｒｎを有しており、溝はスカート壁に向かって開いていて、砲弾の長軸ＸＸ’に垂直な平面Ｐ３内の底部を以ってスカート部内で終端し、中核部のｎ個のフィンＥ１、Ｅ２、．．Ｅｉ、．．．Ｅｎが、弾体の後端側に、フィンのエッジを以って中核部の軸ＡＡ’に垂直な平面Ｐ６内で終端する後方フィン終端を有し、ランクｉのフィンＥｉの後方フィン終端がスカート部の同一ランクｉの各溝Ｒｉに挿入されていて、フィンのエッジが、中核部をスカート部に、従って弾体に回転および並進可能に取り付けるように、溝の底部に接触しており、フィンのスカート部との結合がほぞ／ほぞ穴式であって、ほぞがフィンの後部であり、ほぞ穴がスカート部内の溝Ｒ１、Ｒ２、．．Ｒｉ、Ｒｎである。
【００１７】
別の実施形態において、「ほぞ／ほぞ穴」式の結合の場合は後方フィン終端をｎ個の溝Ｒ１Ｒ、２、．．Ｒｉ、．．Ｒｎに接着するか、あるいはフィンのエッジにねじ止めまたは溶接することにより、フィンとスカート部とに堅牢な結合が生じ、後者の解決策はほぞ／ほぞ穴式の結合から除外することができる。
【００１８】
別の実施形態において、ｎ個のフィンＥ１、Ｅ２、．．Ｅｉ、．．．、Ｅｎは、弾体の前端側に、弾体の前記前端の内面の円筒表面部分の直径Ｄ１に等しい直径の円筒面に内接して中核部を前記弾体とセンタリング式に結合させる前方フィン部を含んでいる。
【００１９】
別の実施形態において、スカート部−中核部のアセンブリが一体的に製造されていて、回転軸ＣＣ’を有するスカート部が、弾体の側面に、回転軸ＣＣ’方向に少なくとも自身のエッジによりスカート部に取り付けられたｎ個のフィンＥ１、Ｅ２、．．Ｅｉ、．．Ｅｎを有する中核部を含んでいて、スカート部が中核部と共に弾体の後端にねじ止めされて前記弾体を封止しており、弾体の中核部を「オーバーハング」式に搭載すべくフィンの前部が弾体の壁とは接触しない。
【００２０】
別の実施形態において、弾体−スカート部−中核部のアセンブリが一体的に製造されていて、弾体は、弾体の前端側に、砲弾の長軸ＸＸ’と同軸の回転軸ＡＡ’を有する円筒壁と、ブースター用の円形開口を、および弾体の後端側に、スカート部を形成する後方本体部を含み、弾体は、軸ＡＡ’方向に、一方で弾体の回転軸ＡＡ’方向において自身のエッジにより、他方で前記弾体およびスカート部の壁のフィンの他のエッジにより互いに取り付けられたｎ個のフィンＥ１、Ｅ２、．．Ｅｉ、．．Ｅｎを含んでいて、当該フィンが、スカート部および円形壁と共に、炸薬用のセルを形成している。
【００２１】
別の実施形態において、弾体−中核部のアセンブリが一体的に製造されていて、弾体は、砲弾の軸ＸＸ’と同軸の回転軸ＡＡ’を有する円筒壁および前記円筒壁に取り付けられた中核部を含み、円筒壁は、弾体の前端側に、ブースター用の円形開口を、および弾体の後端側に、スカート部により封止された後部開口を含んでいて、中核部のフィンＥ１、Ｅ２、，．．Ｅｉ、．．Ｅｎは、一方で弾体の軸ＡＡ’方向に自身のエッジにより、および弾体の軸ＡＡ’に平行な他のエッジにより、弾体の円筒壁に取り付けられていて、当該フィンは、スカート部および円筒壁と共に、炸薬用のセルを形成している。
【００２２】
別の実施形態において、装填区画は、区画化領域が後に続く共通装填領域およびこれを含み、共通装填領域はブースター、弾体壁、および中核部のフィンの前端部により形成された平面により仕切られていて、区画化領域は弾体壁およびスカート部により仕切られ、フィンＥ１、Ｅ２、．．．Ｅｉ、Ｅｎは、弾体壁と共に、砲弾の炸薬用のセルを形成している。
【００２３】
別の実施形態において、中核部を形成しているｎ個のフィンは好適には（ｐｒｅｆｅｒｅｎｔｉａｌｌｙ）、炸薬を収納することを意図した同形のセル群を形成すべく弾体の回転軸ＡＡ’の回りに一定間隔で配置されている。
【００２４】
別の実施形態において、中核部は、フィンのエッジの結合軸方向に、炸薬管式点火装置を導入すべく中核部の長さの少なくとも一部にわたる管路を含んでいる。
【００２５】
別の実施形態において、ｎ個のフィンＥ１、Ｅ２、．．Ｅｉ、．．Ｅｎのエッジにより形成された管路の壁は、管路の軸に垂直な開口群を含んでいて、炸薬管式点火装置により、これらの開口群を通して、前記軸ＣＣ’に沿って、砲弾の炸薬に横方向に点火可能とする。
【００２６】
本発明による砲弾の主な目的は、「大砲発射段階」を通じて、砲弾の起爆装置と炸薬との緊密な接触を保ち、中核部のフィンを介して、全炸薬の回転を、砲弾の容器、すなわち本体と同じ回転加速度で加速することである。
【００２７】
別の目的は、炸薬の内部移動または変形を避けることにより、「飛行段階」を通じて砲弾の安定性を向上させることである。
【００２８】
別の目的は、砲弾が、目標に達するまでの軌道において受ける外部負荷に影響されにくくすることである。
【００２９】
本発明は、索引付けられた図面と合わせて、本発明による砲弾の実施形態の記述から理解が深まろう。
【図面の簡単な説明】
【００３０】
【図１ａ】本発明の砲弾の軸方向の側面図を示す。
【図１ｂ】図１ａの砲弾の軸方向の断面図を示す。
【図１ｃ】図１ｂの砲弾の前端の詳細を断面図で示す。
【図１ｄ】図１ｂの砲弾の後端の詳細を断面図で示す。
【図２】図１ａの砲弾の中核部を示す。
【図３】砲弾に垂直な平面における図１ａの砲弾の断面図を示す。
【図４】図１ａの砲弾の透視分解図を示す。
【図５ａ】図１ａの砲弾の第１の変型例の軸方向断面図を示す。
【図５ｂ】図１ａの砲弾の第１の変型例の透視図を示す。
【図５ｃ】図５ａの砲弾の前部の詳細を断面図で示す。
【図６ａ】本発明の砲弾の第２の変型例の軸方向断面図を示す。
【図６ｂ】図６ａの砲弾の軸に垂直な平面における断面図を示す。
【図７ａ】本発明の砲弾の第３の変型例の軸方向断面図を示す。
【図７ｂ】図７ａの砲弾の軸に垂直な平面における断面図を示す。
【図８ａ】本発明の砲弾の第４の変型例の軸方向断面図を示す。
【図８ｂ】図８ａの砲弾の軸に垂直な平面における断面図を示す。
【図９ａ】本発明による砲弾の中核部の変型例の透視図を示す。
【図９ｂ】図９ａの中核部の軸に垂直な平面における断面図を示す。
【発明を実施するための形態】
【００３１】
図１ａに本発明の砲弾の軸方向の側面図を示す。図１ｂに、図１ａの砲弾の軸方向断面図を示す。
【００３２】
回転軸ＸＸ’の円筒形図１ａおよび１ｂの砲弾は基本的に、回転軸ＡＡ’を有する円筒形の弾体１０を含み、２個の端部すなわち前端および後端を有し、前端側に弾体１０に結合された信管２０およびブースター２２、後端側にスカート部２４を有している。
【００３３】
尖頭状の信管２０は、目標（図示せず）に向けられていて、必要に応じて先細の調整リング２６を介してブースター２２に結合されている。円筒形のブースター２２は、外側ブースター部２８および弾体内のブースター本体３０を含んでいる。外側ブースター部も先細であって、弾体１０を信管２０または調整リング２６に連続的に結合する。
【００３４】
スカート部２４もまた、軸ＡＡ’の浅い傾斜に合わせて先細であって、その最小直径が砲弾の後端を形成している。
【００３５】
弾体１０は、外径Ｄｐｅの外面３２および、本発明の主な特徴に従い賦形中核部３８および炸薬３９を収納する装填区画３６を形成する内径Ｄｐｉの内面３３を有する円形の円筒形弾体壁３１を含んでいる。
【００３６】
弾体壁３１の内面３３の直径Ｄｐｉは、弾体の前端へ向かって直径が次第に狭まって、弾体１０内にブースター本体３０を通すための円形開口４０を形成している。当該開口４０を用いて、砲弾に液体または糊状の炸薬を装填する。
【００３７】
図１ｃに図１ｂの砲弾前端の詳細の断面図を示す。図１ｄに図１ｂの砲弾後端の詳細の断面図を示す。
【００３８】
弾体１０の壁３１の内面３３は、ブースター２２側に、弾体内の中核部３８を遮蔽すべく直径Ｄ１の円筒面部分４６および軸ＡＡ’に垂直な平面Ｐ１における本体肩部５０を形成する不連続部（図１ｃ参照）、およびスカート部２４（図１ｄ参照）側に、スカート部２４を弾体１０にねじ止めするための直径Ｄｐａの壁ねじ切り部５４を含んでいる。
【００３９】
弾体１０の後端を封止しているスカート部２４は、弾体の側面において、スカート部２４を弾体１０に確実に取り付けるべく壁ねじ切り部５４にねじ止めする意図でスカート部ねじ切り部６０を含む直径Ｄｐａの円形外面５８を含んでいる。スカート部２４の外面５８は、弾体の外面３２に整列した別の外面６２により伸長し、弾体上のスカート部自体がねじ止めされるのを防止すべく別のスカート肩部６４を形成している。
【００４０】
スカート部２４は、弾体１０の側面において、スカート部の軸に垂直な平面Ｐ２内の円形のスカート壁６８で終端する。スカート部２４は、スカート壁６８の側に開いている４個の溝Ｒ１、Ｒ２、Ｒ３、Ｒ４を含み、各々の溝はスカート部においてスカート部の軸ＡＡ’に垂直な平面Ｐ３の底部７０で終端している。４個の溝は砲弾の軸ＸＸ’と同軸のスカート部の軸の回らに一定間隔で配置され、弾体１０の賦形中核部３８を回転および並進を防止することを意図している。
【００４１】
図２に、図１ａの砲弾の中核部を示す。
【００４２】
賦形中核部３８は、砲弾の長軸ＸＸ’と同軸の回転軸ＡＡ’において各エッジｂ１のうち１個で互いに取り付けられた４個のフィンＥ１、Ｅ２、Ｅ３、Ｅ４を含んでいる。これらのフィンは、回転軸ＡＡ’を通過する互いに垂直な平面Ｐ４、Ｐ５にあって、砲弾の後方側面の大部分にわたり直径Ｄ２の円筒面に内接している。
【００４３】
フィンＥ１、Ｅ２、Ｅ３、Ｅ４は、砲弾の前方側面に、フィンの直径Ｄ２に徐々に結合する直径Ｄ１に等しい直径の円筒面に内接する前方フィン部８４を含んでいる。前方フィン部８４の直径Ｄ１は、弾体１０の内面３３の円筒面部分４６の直径であって前記弾体とセンタリング式の結合を行なう。本実施形態において、弾体１０の直径Ｄ１は、完全な円筒面に対応するのに対し、賦形中核部３８の直径Ｄ１は当該直径Ｄ１に内接する４個のフィンのエッジに対応する４本の線により画定される。
【００４４】
前方フィン部８４は、砲弾壁３０の本体肩部５０への当接を意図する前方フィン肩部８８を形成すべく前方フィン部８０の直径Ｄ１より小さい直径Ｄ３の円筒面に内接する前方フィン終端８６に結合されている。
【００４５】
フィンＥ１、Ｅ２、Ｅ３、Ｅ４は、砲弾の後方側面において、中核部３８の軸ＡＡ’に垂直な平面Ｐ６内でフィン終端の直径Ｄ２より小さい直径Ｄ４の円筒面に内接する後方フィン終端両端１００をフィンのエッジ１０２と共に含んでいる。後方フィン終端１００は、砲弾スカート部２４の各々の溝Ｒ１、Ｒ２、Ｒ３、Ｒ４内に挿入されることを意図されており、フィンのエッジ１０２は、賦形中核部３８をスカート部に、従って弾体１０に回転および並進可能に確実に取り付けるように溝の底部７０と接触している。
【００４６】
フィンとスカート部２４との結合はほぞ／ほぞ穴式であり、柄がスカート部２４内の溝Ｒ１、Ｒ２、Ｒ３、Ｒ４によりフィン１００およびほぞ穴の後側部分により表されている。
【００４７】
図３に、平面の図１ａの砲弾の当該砲弾に垂直な断面図を示す。
【００４８】
図４に、図１ａの砲弾の透視分解図を示す。
【００４９】
賦形中核部３８は、自身の後端により弾体１０内に挿入されていて、スカート部２４は弾体壁３１にねじ止めされている。
【００５０】
賦形中核部３８は従って、自身の両端により砲弾の軸ＸＸ’に半径方向に中心が保持されていて、スカート部２４はスカート部および壁ねじ切り部６０、５４により弾体１０に固定されている。
【００５１】
アセンブリの形状において、賦形中核部３８の４個の前方フィン肩部８８とフィンのエッジ１０２との間の距離により画定される長さＬ２が、弾体１０の肩部５０とスカート部の４個の溝Ｒ１、Ｒ２、Ｒ３、Ｒ４の底部７０との間の距離により画定される長さＬ１に合わせられている。
【００５２】
賦形中核部３８はこのように砲弾内で軸方向および半径方向に保持され、組み立て時に弾体１０とスカート部２４のアセンブリを堅牢に区画化できるようにする。
【００５３】
弾体の壁にねじ止めされたスカート部２４により弾体１０内に密封された、賦形中核部３８を含む砲弾の組立て状態において、弾体の容積は、弾体の前端側において、非区画化容積を形成する共通装填領域１２０および、賦形中核部３８のフィンＥ１、Ｅ２、Ｅ３に、Ｅ４により区画化された領域１２４側を弾体内に含んでいる。
【００５４】
共通装填領域１２０はブースター２２、弾体壁３１および前方フィン終端部８６により形成される平面により仕切られている。
【００５５】
区画化領域は、弾体壁３１およびスカート壁６８で囲まれ、フィンＥ１、Ｅ２、Ｅ３、Ｅ４が、弾体壁３１と共に、砲弾の炸薬３９用に４個のセル１０６を形成している。
【００５６】
炸薬の大部分は従って４個のセル１０６内の４個の区画化されたローブ１０８内に収納されていて、炸薬が爆発性である場合、４個の区画化されたローブ１０８内で炸薬３９が一様に点火されるようにブースター２２との最適な点火界面を保証すべく共通装填領域１２０だけが単一部分となっている。
【００５７】
炸薬３９が液体または糊状であって、スカート部２２が弾体にねじ止めされている場合、当該炸薬は、信管、調整リング２６およびブースター２２を搭載する前に、弾体１０前部の円形開口４０を介して装薬用に確保されている空間に導入される。
【００５８】
炸薬が剛体である場合、賦形中核部３８に配置され、次いで、スカート部２２を弾体にねじ止めする前に、中核部は自身の剛体炸薬と共に弾体の後端を通って弾体１０に導入される。
【００５９】
「大砲発射段階」の間に砲弾が使用される際に、スカート部２４は、「ほぞ／ほぞ穴」結合により、砲弾の角加速度に耐え得る寸法である賦形中核部３８を回転駆動させる。中核部３８は次いで、４個のセル１０６を介して４個の炸薬ローブ１０８を砲弾全体と調和して回転駆動させるため、炸薬に対する捻じれの影響または炸薬と弾体１０との間の角速度の差異の影響が一切生じないように防止する。
【００６０】
弾体１０内で賦形中核部３８を用いることで、そのフィンにより、炸薬の砲弾の機械構造、すなわち弾体に取り付けられた賦形中核部３８を有する弾体１０に対する取付（または接着）表面積を大幅に増やし、従って炸薬と賦形中核部３８を備えた弾体１０からなる容器との接着を維持することが可能になる。この賦形中核部構造はまた、炸薬が容器の後部に押し付けられないようにし、且つ炸薬を形成する材料にひび割れが生じないようにできる。
【００６１】
賦形中核部３８はまた、常に実行が困難であって、一般に剛体またはゴム状（非液体）の爆発性装薬が使用される炸薬と弾体１０の間の結合を省けるようにする。
【００６２】
図５ａに、図１ａの砲弾の第１の変型例の軸方向断面図を示す。
【００６３】
図５ｂに、図１ａの砲弾の第１の変型例の透視図を示す。
【００６４】
第１の変型例において、弾体１０内の賦形中核部１５０は、自身の後端だけがスカート部２４に結合されている。図１ｄに詳細に示す実施形態のように、後方フィン終端１００は、砲弾のスカート部２４の各々の溝Ｒ１、Ｒ２、Ｒ３、Ｒ４に挿入されるべく意図されており、フィンのエッジ１０２は賦形中核部１５０を弾体１０に回転および並進可能なように確実に取り付けるべく溝の底部７０と接触している。フィンＥ１、Ｅ２、Ｅ３、Ｅ４とスカート部２４の結合はほぞ／ほぞ穴式であって、ほぞはフィン１００の後端により表され、ほぞ穴はスカート部２４内の溝Ｒ１、Ｒ２、Ｒ３、Ｒ４により表される。
【００６５】
フィンのスカート部２４との結合は、「ほぞ／ほぞ穴」式の結合の場合は後方フィン終端１００を溝Ｒ１、Ｒ２、Ｒ３、Ｒ４に接着するか、またはフィンのエッジにねじ止め（図示しない解決策）、あるいは溶接することにより実現されるが、後者の解決策はほぞ／ほぞ穴式の結合の解決策を必要としない。
【００６６】
図５ｃに、図５ａの砲弾の前部の詳細を断面図で示す。
【００６７】
図５ｃは特に、弾体壁３１とは接触しない前方フィン終端１５４の詳細を示す。第１の変型例において、賦形中核部１５０の前方フィン終端１５４は、弾体１０とは機械的に結合していないため、特に砲弾の製造時において、賦形中核部１５０の外面および弾体１０の内面を粗いまたは形成前の状態に留めておくことができる。
【００６８】
第１の変型例において、弾体１０の賦形中核部１５０の搭載は「オーバーハング」式であると言われる。
【００６９】
図６ａに、本発明の砲弾の第２の変型例の軸方向断面図を示す。
【００７０】
図６ｂに、図６ａの砲弾の軸に垂直な平面における断面図を示す。
【００７１】
第２の変型例には、砲弾は、例えば「工場」式製造方法により、一体的に製造されたスカート部１６０−中核部１６４アセンブリが含まれる。
【００７２】
回転軸ＣＣ’を有するスカート部１６０は、弾体１０の側面に、少なくともそれらのエッジｂ１により回転軸ＣＣ’方向においてスカート部１６０に取り付けられたフィンＥ１、Ｅ２、Ｅ３、Ｅ４を有する中核部１６４を含んでいる。中核部１６４と共にスカート部は、前記弾体を封止すべく弾体１０の後端にねじ止めされている。フィン前部１８０は、中核部１６４を弾体に「オーバーハング」式に取付けるために、弾体１０の円筒壁３１と接触していない。
【００７３】
図７ａに、本発明の砲弾の第３の変型例の軸方向断面図を示す。
【００７４】
図７ｂに、図７ａの砲弾の軸に垂直な平面における断面図を示す。
【００７５】
第３の変型例において、砲弾は、例えば工場式に一体的に製造された、弾体２００−スカート部２０８−中核部２２０のアセンブリを含んでいる。
【００７６】
弾体２００は、弾体２００の前端側に、砲弾の長軸ＸＸ’と同軸の回転軸ＡＡ’を有する円筒壁２０２と、ブースター２２用の円形開口４０、および弾体の後端側に、スカート部２０８を形成する後方本体部２０６を含んでいる。弾体は、軸ＡＡ”方向に、一方で弾体２００の回転軸ＡＡ’方向に自身のエッジｂ１により、他方で前記弾体およびスカート部２０８の壁２０２の他のエッジによりｂ２、ｂ３により互いに取り付けられた４個のフィンＥ１、Ｅ２、Ｅ３、Ｅ４を含んでいる。これらのフィンは、スカート部２０８および円筒壁２０２と共に、炸薬３９用のセル１０６を形成している。
【００７７】
図８ａに、本発明の砲弾の第４の変型例の軸方向断面図を示す。
【００７８】
図８ｂに、図８ａの砲弾の軸に垂直な平面における断面図を示す。
【００７９】
第４の変型例において、砲弾は、例えば工場式に一体的に製造された弾体３００−中核部３２０のアセンブリを含んでいる。
【００８０】
図８ａの砲弾は、砲弾の軸ＸＸ’と同軸の回転軸ＡＡ’を有する円筒壁３０２を有する弾体３００、および前記円筒壁３０２に取り付けられた中核部３２０を含んでいる。円筒壁３０２は、弾体の前端側に、ブースター２２用の円形開口４０と、弾体の後端側に、スカート部３０８により封止される後部開口３０４を含んでいる。図１ｂの実施形態と同様に、ねじ止めによりスカート部３０８が弾体壁３００に取り付けられている。このため、スカート部３０８は、同じ直径Ｄｐａのねじ切り部が切られた後部開口に取り付けられた直径Ｄｐａのねじ切り部を含んでいる。
【００８１】
図８ａの第４の変型例において、中核部のフィンＥ１、Ｅ２、Ｅ３、Ｅ４は一方では、弾体の軸ＡＡ’方向において自身のエッジｂ１により、および弾体の軸ＡＡ’に平行な他のエッジｂ２により、弾体の円筒壁３０２に取り付けられている。これらのフィンは、スカート部３０８および円筒壁３０２と共に、炸薬用の４個のセル１０６を形成している。
【００８２】
図９ａに、本発明の砲弾の中核部の変型例の透視図を示す。
【００８３】
図９ｂに、図９ａの中核部の軸に垂直な平面における断面図を示す。
【００８４】
図１ａ〜８ｂの砲弾の中核部３８、１５０、１６４、２２０、３２０の変型例において、賦形中核部３４０は、フィンのエッジｂ１の結合軸ＣＣ’方向に、炸薬管式点火装置導入用の、中核部の長さの少なくとも一部にわたる管路３５０を含んでいる。フィンＥ１、Ｅ２、Ｅ３、Ｅ４のエッジｂ１により形成された軸ＣＣ’方向の管路３５０の壁３５４はまた、軸ＸＸ’に垂直な開口３６０を含んでいて、炸薬管式点火装置がこれらの開口を通して、軸ＣＣ’に沿って横方向に砲弾の炸薬に点火可能にする。
【００８５】
本発明による砲弾について記述した例示的な実施形態は、４個のフィンを含む中核部には限定されず、フィンが中核部の長軸回りに一定間隔で配置されていればフィンの個数はこれより多くても少なくてもよい。最低限、中核部は「大砲発射」段階で弾体の炸薬の回転を防止すべく単一のフィンを含んでいてよい。
【符号の説明】
【００８６】
１０、２００、３００  弾体
２０  信管
２２  ブースター
２４、１６０、２０８、３０８  スカート部
２６  調整リング
２８  外部ブースター部
３０  ブースター本体
３１、２０２、３０２  円筒壁
３２、５８、６２  外面
３３  内面
３６  装填区画
３８、１５０、１６４、２２０、３２０、３４０  中核部
３９  炸薬
４０、３０４、３６０  開口
４６  円筒表面部分
５０  本体肩部
５４  壁ねじ切り部
６０  スカート部ねじ切り部
６４  スカート肩部
６８  スカート壁
７０  底部
８０、８４  前方フィン部
８６、１５４  前方フィン終端
８８  前方フィン肩部
１００  後方フィン終端
１０２  エッジ
１０６  セル
１０８  区画化ローブ
１２０  共通装填領域
１２４  区画化領域
１８０  フィン前部
２０６  後方本体部
３０４  後部開口
３５０  管路
３５４  壁
ｂ１、ｂ２、ｂ３  エッジ
Ｄ１  直径
Ｄｐｅ  外径
Ｄｐｉ  内径
ＡＡ’  回転軸
ＣＣ’  回転軸
ＸＸ’  長軸
Ｅ１、Ｅ２、．．Ｅｉ、．．．Ｅｎ  フィン
Ｒ１、Ｒ２、．．、Ｒｉ、．．Ｒｎ  溝
Ｐ３、Ｐ６  平面
【図１ａ】
2012247178.tif 000003
【図１ｂ】
2012247178.tif 000004
【図１ｃ】
2012247178.tif 000005
【図１ｄ】
2012247178.tif 000006
【図２】
2012247178.tif 000007
【図３】
2012247178.tif 000008
【図４】
2012247178.tif 000009
【図５ａ】
2012247178.tif 000010
【図５ｂ】
2012247178.tif 000011
【図５ｃ】
2012247178.tif 000012
【図６ａ】
2012247178.tif 000013
【図６ｂ】
2012247178.tif 000014
【図７ａ】
2012247178.tif 000015
【図７ｂ】
2012247178.tif 000016
【図８ａ】
2012247178.tif 000017
【図８ｂ】
2012247178.tif 000018
【図９ａ】
2012247178.tif 000019
【図９ｂ】
2012247178.tif 000020
【外国語明細書】
2012247178000001.pdf